(57)【要約】【課題】キャリブレーション機能を有する円形又は略円形のアナログ方式の抵抗膜式タッチパネル装置を提供すること。【解決手段】抵抗膜式タッチパネル装置１は、円形又は略円形の上部電極部１１と下部電極部２１とが対向するように配置されたアナログ方式の抵抗膜式タッチパネル装置であって、上部電極部１１及び下部電極部２１に５個以上のキャリブレーションポイント１００が配置されており、これらキャリブレーションポイント１００のうち４個以上のキャリブレーションポイント１００が上部電極部１１及び下部電極部２１の円縁部の近傍に円弧状に配置されており、上部電極部１１及び下部電極部２１の中心又は略中心を通る仮想直線Ｌによって結ばれた１対のキャリブレーションポイント１００が２対以上あることによって上記課題を解決する。【選択図】図１
2019133464.tif 000002
【特許請求の範囲】
【請求項１】
円形又は略円形の上部電極部と下部電極部とが対向するように配置されたアナログ方式の抵抗膜式タッチパネル装置であって、
前記上部電極部及び前記下部電極部に５個以上のキャリブレーションポイントが配置されており、
前記キャリブレーションポイントのうち４個以上の前記キャリブレーションポイントが前記上部電極部及び前記下部電極部の円縁部の近傍に円弧状に配置されており、前記上部電極部及び前記下部電極部の中心又は略中心を通る仮想直線によって結ばれた１対の前記キャリブレーションポイントが２対以上ある、
ことを特徴とする、抵抗膜式タッチパネル装置。
【請求項２】
前記キャリブレーションポイントの個数が偶数である場合には、前記キャリブレーションポイントのすべてが前記上部電極部及び前記下部電極部の円縁部の近傍に円弧状に配置されており、
前記キャリブレーションポイントの個数が奇数である場合には、前記キャリブレーションポイントのうち、１個が前記上部電極部及び前記下部電極部の中心又は略中心に配置され、残りのすべてが前記上部電極部及び前記下部電極部の円縁部の近傍に円弧状に配置されている、
請求項１に記載の抵抗膜式タッチパネル装置。
【請求項３】
前記仮想直線は、前記上部電極部及び前記下部電極部の中心において等角度で３本以上交差している、
請求項１又は２に記載の抵抗膜式タッチパネル装置。
【請求項４】
前記キャリブレーションポイントの個数は８個であり、前記１対の前記キャリブレーションポイントが４対ある、
請求項１〜３のうちいずれか１項に記載の抵抗膜式タッチパネル装置。
【発明の詳細な説明】
【技術分野】
【０００１】
本発明は、抵抗膜式タッチパネル装置に関する。さらに詳しくは、キャリブレーション機能を有する円形又は略円形の抵抗膜式タッチパネル装置に関する。
【背景技術】
【０００２】
従来より、アナログ方式の抵抗膜式タッチパネル装置は存在する。従来技術としてのアナログ方式の抵抗膜式タッチパネル装置は、図４に示すように、四角形の上部電極と下部電極との間に、絶縁体であるドットスペーサが複数配置された構成を有しており、上部電極には、可撓性を有する透明な導電膜が用いられている。このタッチパネル装置の上部を指やタッチペン等でタッチすると、タッチされた位置の上部電極がたわみ、ドットスペーサが存在しない部分で上部電極と下部電極とが接触して導電するので、その電圧値によって、タッチされた位置の座標が検出される。なお、ドットスペーサは、環境などの外的な要因によって上部電極と下部電極とが誤って接触しないように配置されるものである。
【０００３】
アナログ方式の抵抗膜式タッチパネル装置は、方式の違いによって４線式や５線式などの方式に分類することが可能であり、これらの方式のうち４線式が多く利用されている。４線式のものは、図４に示すように、上部電極側にＸ座標回路が形成され、下部電極側にＹ座標回路が形成されている。このＸ座標回路及びＹ座標回路は、それぞれ異なった電圧勾配をもっているので、タッチされた位置の電圧が計測されると、その位置の座標が検出される。具体的には、Ｘ座標回路の電極Ｘ１と電極Ｘ２との間に、電圧Ｖｃｃが印加された状態で、位置Ａがタッチされると、下部電極を構成する電極Ｙ１に電圧Ｖが発生する。このとき、透明導電膜は均一な抵抗値を持っているので、タッチされた位置Ａから電極Ｘ１までの距離ａと、位置Ａから電極Ｘ２までの距離ｂとの比（ａ：ｂ）は、抵抗Ｒ１の値と、抵抗Ｒ２の値との比（Ｒ１：Ｒ２）に等しくなる。このような原理によって、タッチされた位置Ａの電圧値が算出されるとともに、算出された電圧値がＡ／Ｄ変換される。その結果、Ｘ座標回路における入力位置Ａの座標がデジタル値で出力される。Ｙ座標回路もＸ座標回路と同様の原理で、入力位置Ａの座標がデジタル値で出力される。
【０００４】
ところで、従来技術としてのアナログ方式の抵抗膜式タッチパネル装置は、操作を行うユーザの視差や、タッチパネルとＬＣＤ（Ｌｉｑｕｉｄ  Ｃｒｙｓｔａｌ  Ｄｉｓｐｌａｙ）との取り付け公差などにより、表示画面上の目標座標と、この目標座標が正確にタッチされた際の検出座標との間にずれが生じることがある。このようなずれは「座標ずれ」とも呼ばれ、座標ずれが生じた場合には、座標ずれを補正するための機能（以下「キャリブレーション機能」と呼ぶ）が一般的に利用される（例えば特許文献１）。
【０００５】
上述のように、従来技術としてのアナログ方式の抵抗膜式タッチパネル装置は、タッチされた位置の座標を特定する構成となっているため、上部電極及び下部電極の形状が、いずれも四角形であることが前提となっている。このため、特許文献１で提案されている技術を含め、従来から用いられているキャリブレーション機能は、四角形のタッチパネルを想定したものとなっていた。
【先行技術文献】
【特許文献】
【０００６】
【特許文献１】特開２０１５−１６６９４９号公報
【発明の概要】
【発明が解決しようとする課題】
【０００７】
しかしながら、例えば製品の形状を円形や楕円形にすることで、購入者に柔らかな印象を与えることを目的とした製品を提供しようとする場合には、タッチパネル部分の形状を円形又は略円形にしたいというデザインコンセプト上の要望も多く存在する。このため、円形又は略円形のアナログ方式の抵抗膜式タッチパネル装置の開発が進んでおり、同時に、円形又は略円形のアナログ方式の抵抗膜式タッチパネル装置に対応可能なキャリブレーション機能の実現が求められている。
【０００８】
本発明は、このような状況に鑑みてなされたものであり、キャリブレーション機能を有する円形又は略円形のアナログ方式の抵抗膜式タッチパネル装置を提供することを目的とする。
【課題を解決するための手段】
【０００９】
上記目的を達成するため、本発明に係る抵抗膜式タッチパネル装置は、
円形又は略円形の上部電極部と下部電極部とが対向するように配置されたアナログ方式の抵抗膜式タッチパネル装置であって、
前記上部電極部及び前記下部電極部に５個以上のキャリブレーションポイントが配置されており、
前記キャリブレーションポイントのうち４個以上の前記キャリブレーションポイントが前記上部電極部及び前記下部電極部の円縁部の近傍に円弧状に配置されており、前記上部電極部及び前記下部電極部の中心又は略中心を通る仮想直線によって結ばれた１対の前記キャリブレーションポイントが２対以上ある、
ことを特徴とする。
【００１０】
この発明によれば、上部電極部及び下部電極部に５個以上のキャリブレーションポイントが配置されているので、従来に比べてキャリブレーション機能を向上させることができる。また、４個以上のキャリブレーションポイントが、上部電極部及び下部電極部の円縁部の近傍に円弧状に配置されており、上部電極部及び下部電極部の中心又は略中心を通る仮想直線によって結ばれた１対のキャリブレーションポイントが２対以上あるので、キャリブレーションを行うことができる領域を上部電極部及び下部電極部の円縁部まで万遍なく拡大させることができる。その結果、キャリブレーション機能を有する円形又は略円形のアナログ方式の抵抗膜式タッチパネル装置を提供することができる。
【００１１】
本発明に係る抵抗膜式タッチパネル装置において、前記キャリブレーションポイントの個数が偶数である場合には、前記キャリブレーションポイントのすべてが前記上部電極部及び前記下部電極部の円縁部の近傍に円弧状に配置されており、
前記キャリブレーションポイントの個数が奇数である場合には、前記キャリブレーションポイントのうち、１個が前記上部電極部及び前記下部電極部の中心又は略中心に配置され、残りのすべてが前記上部電極部及び前記下部電極部の円縁部の近傍に円弧状に配置されている、ことが好ましい。
【００１２】
この発明によれば、キャリブレーションポイントの個数が偶数である場合には、キャリブレーションポイントのすべてが上部電極部及び下部電極部の円縁部の近傍に円弧状に配置されているので、キャリブレーションを行うことができる領域を上部電極部及び下部電極部の円縁部まで万遍なく拡大させることができるとともに、上部電極部及び下部電極部の円縁部におけるキャリブレーション機能を向上させることができる。また、キャリブレーションポイントの個数が奇数である場合には、キャリブレーションポイントのうち、１個が上部電極部及び下部電極部の中心又は略中心に配置され、残りのすべてが上部電極部及び下部電極部の円縁部の近傍に円弧状に配置されているので、キャリブレーションを行うことができる領域を上部電極部及び下部電極部の円縁部まで拡大させることができるとともに、上部電極部及び下部電極部の中心部におけるキャリブレーション機能をさらに向上させることができる。その結果、より良好なキャリブレーション機能を有する円形又は略円形のアナログ方式の抵抗膜式タッチパネル装置を提供することができる。
【００１３】
本発明に係る抵抗膜式タッチパネル装置において、前記仮想直線は、前記上部電極部及び前記下部電極部の中心において等角度で３本以上交差している、ことが好ましい。
この発明によれば、キャリブレーションポイントが円弧状に均等に配置されるので、キャリブレーションを行うことができる領域を上部電極部及び下部電極部の円縁部までより万遍なく拡大させることができる。その結果、より良好なキャリブレーション機能を有する円形又は略円形のアナログ方式の抵抗膜式タッチパネル装置を提供することができる。
【００１４】
本発明に係る抵抗膜式タッチパネル装置において、前記キャリブレーションポイントの個数は８個であり、前記１対の前記キャリブレーションポイントが４対ある、ことが好ましい。この発明によれば、８個のキャリブレーションポイントが円弧状に配置されているので、キャリブレーションを行うことができる領域を上部電極部及び下部電極部の円縁部までさらに万遍なく拡大させることができる。その結果、さらに良好なキャリブレーション機能を有する円形又は略円形のアナログ方式の抵抗膜式タッチパネル装置を提供することができる。
【発明の効果】
【００１５】
本発明によれば、キャリブレーション機能を有する円形又は略円形のアナログ方式の抵抗膜式タッチパネル装置を提供することができる。
【図面の簡単な説明】
【００１６】
【図１】本発明の抵抗膜式タッチパネル装置の一実施形態を示す外観図である。（Ａ）は平面図、（Ｂ）は断面の一部を示す図である。
【図２】キャリブレーション機能を発揮させた後のリニアリティを示す電圧マッピングの一例を示す図であり、（Ａ）は電圧マッピングの平面図、（Ｂ）は電圧マッピングの斜視図である。
【図３】キャリブレーションポイントの従来の配置例を示す図であり、（Ａ）はキャリブレーションポイントが４個である場合を示す図、（Ｂ）はキャリブレーションポイントが４個である抵抗膜式タッチパネル装置を用いて、直交する複数の直線によって網目模様を描画した場合を示す図である。
【図４】従来技術としてのアナログ方式の抵抗膜式タッチパネル装置のうち、４線式アナログ抵抗膜式タッチパネル装置の例を示す図であり、（Ａ）は断面図、（Ｂ）は構成を示すイメージ図、（Ｃ）は等価回路を示す図である。
【発明を実施するための形態】
【００１７】
本発明の一実施形態である抵抗膜式タッチパネル装置１について、図面を参照しつつ説明する。なお、本発明は下記の実施形態に限定されるものではない。
【００１８】
図１は、抵抗膜式タッチパネル装置１の外観図である。（Ａ）は抵抗膜式タッチパネル装置１の平面図、（Ｂ）は抵抗膜式タッチパネル装置１の断面の一部を示す図である。
【００１９】
［基本構成］
抵抗膜式タッチパネル装置１は、図１に示すように、円形又は略円形の上部電極部１１と下部電極部２１とが対向するように配置されたアナログ方式の抵抗膜式タッチパネル装置であり、上部電極部１１及び下部電極部２１の円縁部の近傍には、８個のキャリブレーションポイント１００が円弧状に均等に配置されており、１対のキャリブレーションポイント１００を結ぶ仮想直線Ｌが、上部電極部１１及び下部電極部２１の中心で４本交差している。
【００２０】
ここで、「キャリブレーションポイント」とは、抵抗膜式タッチパネル装置１の座標ずれを補正する際にタッチされるターゲットとなるポイントをいう。上述したように、従来技術としてのアナログ方式の抵抗膜式タッチパネル装置は、タッチされた位置の座標を特定する構成となっている。このため、上部電極部と下部電極部との関係は、縦軸（Ｙ軸）と横軸（Ｘ軸）との関係になるので、上部電極部及び下部電極部の形状は、縦軸と横軸とを構成し易い形状、すなわち四角形を前提とした構成となる。このような事情から、従来のキャリブレーションポイントも、上部電極及び下部電極の形状がいずれも四角形であることを前提とした配置となっていた。具体的には例えば、キャリブレーションポイントが４個である場合には、これら４個キャリブレーションポイントは、四角形の四隅近傍にそれぞれ配置されることになる。このため、従来の配置の仕方で、円形又は略円形のアナログ方式の抵抗膜式タッチパネル装置に４個キャリブレーションポイントを配置した場合、キャリブレーションが行われる領域Ｃは、図３（Ａ）に示す四角形の内側の領域のみになる。このような抵抗膜式タッチパネル装置を用いて、直交する複数の直線によって網目模様を描画すると、図３（Ｂ）に示すように、キャリブレーションが行われる領域Ｃ以外の領域Ｄに存在する直線は、内側にたわんでしまう。このため、キャリブレーションが行われない領域Ｄを最小化させるとともに、キャリブレーションが行われる領域Ｃを最大化させる必要があった。なお、キャリブレーションを行う具体的な手法は特に限定されない。従来から用いられている技術を含め、キャリブレーションを行うためのあらゆる手法を用いることができる。
【００２１】
以下、抵抗膜式タッチパネル装置１の各構成要素について詳しく説明する。
【００２２】
（上部電極部）
上部電極部１１は、図１に示すように、円形又は略円形の上部電極板１０１と、１対の電極を含むＸ座標回路が形成された円形又は略円形の上部導電膜１０２と、を少なくとも有する。なお、「少なくとも」としたのは、それ以外の構成要素が含まれていてもよいことを意味する。例えば、上部電極板１０１の表面を傷や汚れなどから保護するための、円形又は略円状のハードコート（図示せず）等が上部電極部１１に含まれていてもよい。
上部電極板１０１は、上部電極部１１の上部に配置された円形又は略円形の電極板である。上部電極板１０１は、指やタッチペンでタッチされることでたわむ透明な素材で構成される。例えば、ＰＥＴ（ポリエチレンテレフタラート）フィルムや薄いガラス等の素材を上部電極板として用いることができる。上部電極板１０１の上部表面には、上部電極板１０１の表面を傷や汚れなどから保護するためのハードコート（図示せず）を付着させる処理が施されていてもよい。
上部導電膜１０２は、上部電極板１０１の下部に、後述する下部導電膜２０２に対向するように配置された円形又は略円形の導電膜である。上部導電膜１０２の表面には、１対の電極を含むＸ座標回路が形成されている。上部導電膜１０２は均一な抵抗値をもつが、具体的な抵抗値は特に限定されない。例えば、抵抗値が３００Ω／□〜５００Ω／□程度のものを用いることができる。上部導電膜１０２の材質は特に限定されない。透明なフィルムに対し、ＩＴＯ（Ｉｎｄｉｕｍ  Ｔｉｎ  Ｏｘｉｄｅ：酸化インジウムスズ）を蒸着したものや、銀等の金属材料を塗布（印刷）したものを用いることができる。
【００２３】
（下部電極部）
下部電極部２１は、図示はしないが、円形又は略円形の下部電極板２０１と、１対の電極を含むＹ座標回路が形成された下部導電膜２０２と、ドットスペーサ２０３と、を少なくとも有する。なお、「少なくとも」としたのは、それ以外の構成要素が含まれていてもよいことを意味する。例えば、光の反射を低減させるための位相差板（図示せず）等が下部電極部２１に含まれていてもよい。
下部電極板２０１は、下部電極部２１の下部に配置された円形又は略円形の電極板である。下部電極板２０１の材質は特に限定されない。例えば、ソーダガラス（ソーダライムガラス、ソーダ石灰ガラス）、プラスチック製の板、フィルム等を用いることができる。
下部導電膜２０２は、下部電極板２０１の上部に、ドットスペーサ２０３を挟んで上部導電膜１０２に対向するように配置された導電膜である。下部導電膜２０２の表面には、１対の電極を含むＹ座標回路が形成されている。下部導電膜２０２は均一な抵抗値をもつが、具体的な抵抗値は特に限定されない。例えば、抵抗値が３００Ω／□〜５００Ω／□程度のものを用いることができる。下部導電膜２０２の素材は特に限定されない。透明なフィルムに対し、ＩＴＯ（Ｉｎｄｉｕｍ  Ｔｉｎ  Ｏｘｉｄｅ：酸化インジウムスズ）を蒸着したものや、銀等の金属材料を塗布（印刷）したものであってもよい。
ドットスペーサ２０３は、上部導電膜１０２と下部導電膜２０２の間に形成された絶縁体であり、抵抗膜式タッチパネル装置１に対するタッチ操作がなされていないときに上部導電膜１０２と下部導電膜２０２とが誤接触することを防止する。具体的には、ドットスペーサ２０３は、印刷等の手法によって下部導電膜２０２の表面に形成される。これにより、環境などの外的な要因によって上部電極部１１と下部電極部２１とがショートしてしまうことを防ぐことができる。
【００２４】
（キャリブレーションポイント）
キャリブレーションポイント１００は、図１に示すように、抵抗膜式タッチパネル装置１の上部電極部１１及び下部電極部２１の円縁部の近傍に、円弧状に均等に配置されたキャリブレーションポイントであり、１対のキャリブレーションポイント１００を結ぶ仮想直線Ｌが、上部電極部１１及び下部電極部２１の中心で４本交差している。キャリブレーションポイント１００を図１に示すような配置にすると、８個のキャリブレーションポイント１００が円弧状に均等に配置されているので、さらに良好なキャリブレーション機能を有する、円形又は略円形のアナログ方式の抵抗膜式タッチパネル装置を提供することができる。
【００２５】
次に、抵抗膜式タッチパネル装置１においてキャリブレーションが行われた場合の具体例について説明する。
図２は、キャリブレーション機能を発揮させた後のリニアリティを示す電圧マッピングの一例を示す図である。ここで、電圧マッピングとは、抵抗膜式タッチパネル装置１の形状に重畳して表示されるグラフであって、同じ大きさの電圧の部分が同じ層を形成するように色や色彩等により区分けして表示されたグラフである。リニアリティが保たれている場合、層の境界線が直線又は直線に近い形状で表示される。なお、下部電極部２１の電圧マッピングは、上部電極部１１の電圧マッピングを９０度回転させたものであるため記載を省略している。
上部電極部１１及び下部電極部２１が円形又は略円形であったとしても、上記の構成のキャリブレーションポイント１００においてキャリブレーションが行われことによって、図２に示すように、全体的にリニアリティが保たれた状態にすることができる。
【００２６】
以上、本発明の一実施形態について説明したが、本発明は、上述の実施形態に限定されるものではなく、本発明の目的を達成できる範囲での変形、改良等は本発明に含まれるものである。また、本発明に係る要旨を逸脱しない範囲内であれば種々の変更を施してもよい。
【００２７】
例えば、上述の実施形態は、上部電極部１１及び下部電極部２１の円縁部の近傍に、８個のキャリブレーションポイント１００が円弧状に均等に配置されており、１対のキャリブレーションポイント１００を結ぶ仮想直線Ｌが、上部電極部１１及び下部電極部２１の中心で４本交差しているが、キャリブレーションポイント１００の数、１対のキャリブレーションポイント１００を結ぶ仮想直線Ｌの本数、及びキャリブレーションポイント１００の配置間隔は、この値に限定されず、任意の値とすることができる。キャリブレーションポイント１００は、数が多い程、キャリブレーション機能が向上するので、可能な限り数を増やすこともできる。ただし、キャリブレーションポイント１００の数が増えると、その分必要となるＲＯＭ（Ｒｅａｄ  Ｏｎｌｙ  Ｍｅｍｏｒｙ）の容量も増えるので、キャリブレーションポイント１００の数を少なくし、かつキャリブレーションの効果の最大化が図れるような組合せを選択することもできる。
【００２８】
以上まとめると、本発明が適用される抵抗膜式タッチパネル装置は、次のような構成を取れば足り、各種各様な実施形態を取ることができる。
即ち、本発明が適用される抵抗膜式タッチパネル装置（例えば図１の抵抗膜式タッチパネル装置１）は、
前記上部電極部（例えば図１の上部電極部１１）及び前記下部電極部（例えば図１の下部電極部２１）に５個以上のキャリブレーションポイント（例えば図１のキャリブレーションポイント１００）が配置されており、
前記キャリブレーションポイントのうち４個以上の前記キャリブレーションポイントが前記上部電極部及び前記下部電極部の円縁部の近傍に円弧状に配置されており、前記上部電極部及び前記下部電極部の中心又は略中心を通る仮想直線（例えば図１の仮想直線Ｌ）によって結ばれた１対の前記キャリブレーションポイントが２対以上ある。
これにより、上部電極部１１及び下部電極部２１に５個以上のキャリブレーションポイント１００が配置されているので、従来に比べてキャリブレーション機能を向上させることができる。また、４個以上のキャリブレーションポイント１００が、上部電極部１１及び下部電極部２１の円縁部の近傍に円弧状に配置されており、上部電極部１１及び下部電極部２１の中心又は略中心を通る仮想直線Ｌによって結ばれた１対のキャリブレーションポイント１００が２対以上あるので、キャリブレーションを行うことができる領域を上部電極部１１及び下部電極部２１の円縁部まで万遍なく拡大させることができる。その結果、キャリブレーション機能を有する円形又は略円形のアナログ方式の抵抗膜式タッチパネル装置を提供することができる。
【００２９】
また、前記キャリブレーションポイントの個数が偶数である場合には、前記キャリブレーションポイントのすべてが前記上部電極部及び前記下部電極部の円縁部の近傍に円弧状に配置されており、
前記キャリブレーションポイントの個数が奇数である場合には、前記キャリブレーションポイントのうち、１個が前記上部電極部及び前記下部電極部の中心又は略中心に配置され、残りのすべてが前記上部電極部及び前記下部電極部の円縁部の近傍に円弧状に配置されている、ことが好ましい。
これにより、キャリブレーションポイントの個数が偶数である場合には、キャリブレーションポイントのすべてが上部電極部及び下部電極部の円縁部の近傍に円弧状に配置されているので、キャリブレーションを行うことができる領域を上部電極部及び下部電極部の円縁部まで万遍なく拡大させることができるとともに、上部電極部及び下部電極部の円縁部におけるキャリブレーション機能を向上させることができる。また、キャリブレーションポイントの個数が奇数である場合には、キャリブレーションポイントのうち、１個が上部電極部及び下部電極部の中心又は略中心に配置され、残りのすべてが上部電極部及び下部電極部の円縁部の近傍に円弧状に配置されているので、キャリブレーションを行うことができる領域を上部電極部及び下部電極部の円縁部まで拡大させることができるとともに、上部電極部及び下部電極部の中心部におけるキャリブレーション機能をさらに向上させることができる。その結果、より良好なキャリブレーション機能を有する円形又は略円形のアナログ方式の抵抗膜式タッチパネル装置を提供することができる。
【００３０】
また、本発明に係る抵抗膜式タッチパネル装置において、前記仮想直線（例えば図１の仮想直線Ｌ）は、前記上部電極部及び前記下部電極部の中心において等角度で３本以上交差している、ことが好ましい。
これにより、キャリブレーションポイント１００が均等に配置されるので、キャリブレーションを行うことができる領域Ｃを上部電極部１１及び下部電極部２１の円縁部までより万遍なく拡大させることができる。その結果、より良好なキャリブレーション機能を有する円形又は略円形のアナログ方式の抵抗膜式タッチパネル装置を提供することができる。
【００３１】
また、本発明に係る抵抗膜式タッチパネル装置において、前記キャリブレーションポイント１００の個数は８個であり、前記１対の前記キャリブレーションポイントが４対ある、ことが好ましい。
これにより、８個のキャリブレーションポイント１００が均等に配置されているので、キャリブレーションを行うことができる領域Ｃを上部電極部１１及び下部電極部２１の円縁部までさらに万遍なく拡大させることができる。その結果、さらに良好なキャリブレーション機能を有する円形又は略円形のアナログ方式の抵抗膜式タッチパネル装置を提供することができる。
【符号の説明】
【００３２】
１・・・  抵抗膜式タッチパネル装置
１１・・・  上部電極部
２１・・・  下部電極部
１００・・・  キャリブレーションポイント
１０１・・・  上部電極板
１０２・・・  上部導電膜
２０１・・・  下部電極板
２０２・・・  下部導電膜
２０３・・・  ドットスペーサ
Ｃ・・・  キャリブレーションを行うことができる領域
Ｄ・・・  キャリブレーションを行うことができない領域
【図１】
2019133464.tif 000003
【図２】
2019133464.tif 000004
【図３】
2019133464.tif 000005
【図４】
2019133464.tif 000006